(57)【要約】【課題】カメラ付き携帯電話等の携帯端末装置において、携帯端末装置の撮影場所にいない人物を含む画像を得る。【解決手段】カメラ付き携帯電話２において取得された処理済み画像Ｇ２を液晶モニタ２４に表示し、人物が含まれる領域をトリミングする。カメラ付き携帯電話１から送信された処理済み画像Ｇ１を液晶モニタ２４に表示し、同様に人物が含まれる領域をトリミングする。トリミングされた処理済み画像ＧＴ１，ＧＴ２を合成して合成画像Ｇ０を得、これを液晶モニタ２４に表示する。【選択図】　　　　　図２
2004032372.tif 000002
【特許請求の範囲】
【請求項１】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの処理方法において、
他の携帯端末装置から送信された他の画像データおよび前記画像データを合成して合成画像データを得ることを特徴とする画像データ処理方法。
【請求項２】
前記他の画像データにより表される他の画像および前記画像データにより表される画像を前記表示手段のサイズに適合するようにそれぞれトリミングして、前記合成画像データを得ることを特徴とする請求項１記載の画像データ処理方法。
【請求項３】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
他の携帯端末装置から送信された他の画像データおよび前記画像データを合成して合成画像データを得る合成手段をさらに備えたことを特徴とする携帯端末装置。
【請求項４】
前記合成手段は、前記他の画像データにより表される他の画像および前記画像データにより表される画像を前記表示手段のサイズに適合するようにそれぞれトリミングして、前記合成画像データを得る手段であることを特徴とする請求項３記載の携帯端末装置。
【請求項５】
撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの処理方法をコンピュータに実行させるためのプログラムにおいて、
他の携帯端末装置から送信された他の画像データおよび前記画像データを合成して合成画像データを得る手順を有するプログラム。
【請求項６】
前記合成画像データを得る手順は、前記他の画像データにより表される他の画像および前記画像データにより表される画像を前記表示手段のサイズに適合するようにそれぞれトリミングして、前記合成画像データを得る手順である請求項５記載のプログラム。
【発明の詳細な説明】
【０００１】
【発明の属する技術分野】
本発明は、撮影により画像データを取得するカメラ付き携帯電話等の携帯端末装置および携帯端末装置における画像データ処理方法並びに画像データ処理方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
【発明が解決しようとする課題】
ところで、カメラ付き携帯電話を用いることにより、友人同士で画像データを交換して楽しむことができるが、撮影の対象となるのは、カメラ付き携帯電話の撮影場所にいる人物のみであるため、画像データを送信した人物や、画像データを送信する人物のように撮影場所にいない人物を含んだ画像を得ることはできない。
【０００７】
本発明は上記事情に鑑みなされたものであり、カメラ付き携帯電話等の携帯端末装置において、撮影場所にいない人物を含む画像を得ることを目的とする。
【０００８】
【課題を解決するための手段】
本発明による画像データ処理方法は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置における前記画像データの処理方法において、
他の携帯端末装置から送信された他の画像データおよび前記画像データを合成して合成画像データを得ることを特徴とするものである。
【０００９】
なお、本発明による画像データ処理方法においては、前記他の画像データにより表される他の画像および前記画像データにより表される画像を前記表示手段のサイズに適合するようにそれぞれトリミングして、前記合成画像データを得るようにしてもよい。
【００１０】
本発明による携帯端末装置は、撮影により画像データを取得する撮影手段と、データの送受信を行う通信手段と、前記画像データに対して画像処理を施して処理済み画像データを得る画像処理手段と、種々の表示を行う表示手段とを備えた携帯端末装置において、
他の携帯端末装置から送信された他の画像データおよび前記画像データを合成して合成画像データを得る合成手段をさらに備えたことを特徴とするものである。
【００１１】
なお、本発明による携帯端末装置においては、前記合成手段を、前記他の画像データにより表される他の画像および前記画像データにより表される画像を前記表示手段のサイズに適合するようにそれぞれトリミングして、前記合成画像データを得る手段としてもよい。
【００１２】
なお、本発明による画像データ処理方法をコンピュータに実行させるためのプログラムとして提供してもよい。
【００１３】
【発明の効果】
本発明によれば、携帯端末装置において取得された画像データと、例えば友人が所有する他の携帯端末装置から送信された他の画像データとを合成して合成画像データを得るようにしたため、撮影場所にいない人物を含む画像を得ることができる。
【００１４】
また、携帯端末装置においては表示手段のサイズがそれほど大きくないため他の携帯端末装置から送信された他の画像データおよび携帯端末装置において取得された画像データをそれぞれトリミングして合成することにより、表示手段のサイズに適合した合成画像を得ることができる。
【００１５】
【発明の実施の形態】
以下図面を参照して本発明の実施形態について説明する。図１は本発明の実施形態による携帯端末装置を備えた画像処理システムの構成を示す概略ブロック図である。図１に示すように本実施形態による画像処理システムは、カメラ付き携帯電話１，２と、カメラ付き携帯電話１，２において取得された画像データＳ０を保管管理する画像サーバ３と、画像データＳ０をプリント出力するラボ４との間で、画像データＳ０や種々の情報のやり取りを携帯電話通信網５を介して行うものである。
【００１６】
カメラ付き携帯電話１は、撮影により画像データＳ０を取得するカメラ１１と、画像データＳ０や種々の情報の送受信を行う通信手段１２と、画像データＳ０に対して画像処理を施して処理済み画像データＳ１を得る画像処理手段１３と、画像や電話番号等種々の表示を行う液晶モニタ１４と、カメラ付き携帯電話１の動作を制御するコントローラ１５と、後述するように画像データＳ０の用途および／または画質に基づいて、画像データＳ０に対して画像処理を施す場所を決定して場所情報Ｂ０を生成する画像処理場所決定手段１６と、カメラ１１による撮影の操作、画像データＳ０の送信指示、画像データＳ０の用途および／または画質の入力、画像データＳ０または処理済み画像データＳ１の送信先、プリント出力を行うか否かの指定、画像サーバ３に保管しておくか否かの指定、画像データＳ０に画像処理を施す際の指示等、種々の情報の入力を行う複数のボタンからなる入力手段１７と、後述するようにカメラ付き携帯電話２等の他の携帯端末装置等から送信された処理済み画像データＳ２等とカメラ付き携帯電話１において取得した処理済み画像データＳ１とを合成して合成画像データＳＧ１を得る合成手段１８とを備える。
【００１７】
カメラ付き携帯電話２は、撮影により画像データＳ０を取得するカメラ２１と、画像データＳ０や種々の情報の送受信を行う通信手段２２と、画像データＳ０に対して画像処理を施して処理済み画像データＳ２を得る画像処理手段２３と、画像や電話番号等種々の表示を行う液晶モニタ２４と、カメラ付き携帯電話２の動作を制御するコントローラ２５と、後述するように画像データＳ０の用途および／または画質に基づいて、画像データＳ０に対して画像処理を施す場所を決定して場所情報Ｂ０を生成する画像処理場所決定手段２６と、カメラ２１による撮影の操作、画像データＳ０の送信指示、画像データＳ０の用途および／または画質の入力、画像データＳ０または処理済み画像データＳ２の送信先、プリント出力を行うか否かの指定、画像サーバ３に保管しておくか否かの指定、画像データＳ０に画像処理を施す際の指示等、種々の情報の入力を行う複数のボタンからなる入力手段２７と、後述するようにカメラ付き携帯電話１等の他の携帯端末装置等から送信された処理済み画像データＳ１等とカメラ付き携帯電話２において取得した処理済み画像データＳ２０とを合成して合成画像データＳＧ２を得る合成手段２８とを備える。
【００１８】
なお、本実施形態においては、カメラ付き携帯電話１において画像データＳ０を取得して画像データＳ０に画像処理を施す画像処理場所を決定し、カメラ付き携帯電話２を画像データＳ０または処理済み画像データＳ１の送信先の１つとして指定するものとする。
【００１９】
また、本実施形態においては、カメラ付き携帯電話２において取得された画像データＳ０に画像処理手段２３において画像処理を施すことにより得られた処理済み画像データＳ２０と、カメラ付き携帯電話１から送信された処理済み画像データＳ１、またはカメラ付き携帯電話１から送信された画像データＳ０に画像処理手段２３において画像処理を施すことにより得られた処理済み画像データＳ２とを合成して合成画像データＳＧ２を得るものとして説明する。
【００２０】
画像処理手段１３は、画像データＳ０に対して濃度補正処理、ホワイトバランス調整処理、階調補正処理、色補正処理、シャープネス処理等の画像処理を施して処理済み画像データＳ１を得る。なお、画像処理手段１３は、後述する画像サーバ３やラボ４の画像処理手段ほど高度な画像処理を行うことができないものである。したがって、得られる処理済み画像データＳ１は、液晶モニタ１４のように比較的小さいサイズのモニタに表示するには問題ないが、プリント出力したりパソコンのモニタのような大きいサイズのモニタに表示するには適さないものである。
【００２１】
画像処理場所決定手段１６は、カメラ付き携帯電話１のユーザが入力手段１７から入力した画像データＳ０の用途および／または画質に基づいて、画像データＳ０に対して画像処理を施す場所を決定して、画像処理を施す場所を表す場所情報Ｂ０を生成する。例えば、画像データＳ０の用途が携帯電話のモニタへの表示である旨が入力された場合および／または低画質の旨が入力された場合には、画像データＳ０はそれほど高い画質は要求されないことから、画像処理場所決定手段１６は、画像処理場所をカメラ付き携帯電話１に決定して場所情報Ｂ０を生成する。なお、画像データＳ０をカメラ付き携帯電話２に送信する場合には、画像処理場所をカメラ付き携帯電話２と決定して場所情報Ｂ０を生成してもよい。この場合、画像処理場所の決定は、入力手段１７から入力される画像データＳ０の送信先情報に基づいて行えばよい。
【００２２】
なお、用途および／または画質は入力手段１７から直接入力してもよいが、液晶モニタ１４に種々の用途および／または画質を表示して、ユーザに所望とする用途および／または画質を選択させるようにしてもよい。
【００２３】
また、画像データＳ０の用途が画像サーバ３への保管である場合には、画像データＳ０がパソコン等の端末装置にダウンロードされてモニタに表示されて用いられることから、画像データＳ０にはプリント出力ほどではないが中程度の画質が要求される。したがって、画像データＳ０の用途が画像サーバ３への保管である場合および／または中程度の画質の旨が入力された場合には、画像処理場所決定手段１６は、画像データＳ０には中程度の画質が要求されることから、画像処理場所を画像サーバ３に決定して場所情報Ｂ０を生成する。
【００２４】
さらに、画像データＳ０の用途がプリント出力である場合には、画像データＳ０には高画質が要求される。また、画像データＳ０を高画質にしたい場合はプリント出力を所望する場合が多い。したがって、画像データＳ０の用途がプリント出力である場合および／または高画質の旨が入力された場合には、画像処理場所決定手段１６は、画像データＳ０には高画質が要求されることから、画像処理場所をラボ４に決定して場所情報Ｂ０を生成する。
【００２５】
通信手段１２は、画像データＳ０または処理済み画像データＳ１を、場所情報Ｂ０および画像データＳ０または処理済み画像データＳ１の送信先を表す送信先情報（例えば、ラボ４、カメラ付き携帯電話２、カメラ付き携帯電話１のユーザの友人のメールアドレス等）とともに携帯電話通信網５を介して画像サーバ３へ送信する。なお、画像データＳ０の用途がプリント出力である場合には、プリントの受け取り先を表す受け取り先情報（相手を特定できればよいため、例えば携帯電話の番号等でもよい）も送信される。
【００２６】
ここで、未処理の画像データＳ０が送信されるのは、画像処理場所が画像サーバ３、ラボ４およびカメラ付き携帯電話２に決定された場合である。一方、画像処理場所がカメラ付き携帯電話１に決定された場合には、画像処理手段１３において画像データＳ０に対して画像処理が施されて処理済み画像データＳ１が得られ、これが場所情報Ｂ０（この場合カメラ付き携帯電話１を表す）とともに画像サーバ３へ送信される。
【００２７】
合成手段１８は、処理済み画像データＳ１により表される処理済み画像Ｇ１と、カメラ付き携帯電話２等の他のカメラ付き携帯電話から送信された画像データにより表される画像とを合成して合成画像データＳＧ１を得る。なお、本実施形態においては、カメラ付き携帯電話２において画像の合成がなされることから、合成手段２８における画像の合成について詳細に説明する。
【００２８】
なお、カメラ付き携帯電話２の通信手段２２、画像処理手段２３および画像処理場所決定手段２６は、通信手段１２、画像処理手段１３および画像処理場所決定手段１６と同様の機能を有する。
【００２９】
合成手段２８は、カメラ付き携帯電話２において取得され、画像処理手段２３において画像処理が施されることにより得られた処理済み画像データＳ２０と、カメラ付き携帯電話１から送信された処理済み画像データＳ１またはカメラ付き携帯電話１から送信された画像データＳ０に対して画像処理を施すことにより得られた処理済み画像データＳ２とを合成して合成画像データＳＧ２を得る。
【００３０】
図２は、画像の合成を説明するための図である。まず、図２（ａ）に示すように、処理済み画像データＳ２０により表される処理済み画像Ｇ２を液晶モニタ２４に表示する。そして、入力手段２７から指示がなされると、図２（ｂ）に示すように、処理済み画像Ｇ２の横方向のサイズを１／２に変更するためのトリミング枠Ｔ０を液晶モニタ２４に表示する。カメラ付き携帯電話２のユーザは、入力手段２７の操作によりトリミング枠Ｔ０を移動させて、トリミングする領域を指定する。
【００３１】
続いて、合成手段２８は、図２（ｃ）に示すように、処理済み画像データＳ１または処理済み画像データＳ２により表される処理済み画像Ｇ１を液晶モニタ２４に表示する。そして、入力手段２７から指示がなされると、図２（ｄ）に示すように、処理済み画像Ｇ１の横方向のサイズを１／２に変更するためのトリミング枠Ｔ０を液晶モニタ２４に表示する。カメラ付き携帯電話２のユーザは、入力手段２７の操作によりトリミング枠Ｔ０を移動させて、トリミングする領域を指定する。
【００３２】
なお、処理済み画像Ｇ１のトリミングおよび処理済み画像Ｇ２のトリミングのいずれを先に行ってもよい。
【００３３】
そして、ユーザが入力手段２７から合成の指示を行うと、図２（ｅ）に示すように、トリミングされた処理済み画像ＧＴ２と、トリミングされた処理済み画像ＧＴ１とが合成されて合成画像データＳＧ２が得られ、合成画像データＳＧ２により表される合成画像Ｇ０が液晶モニタ２４に表示される。
【００３４】
画像サーバ３は、画像データＳ０等種々の情報の送受信を行う通信手段３１と、画像データＳ０に対して画像処理を施して処理済み画像データＳ３を得る画像処理手段３２と、カメラ付き携帯電話１から送信された画像データＳ０または処理済み画像データＳ１を保管する保管手段３３と、画像データＳ０または処理済み画像データＳ１の保管場所を表すＵＲＬを生成するＵＲＬ生成手段３４と、ＵＲＬ生成手段３４において生成されたＵＲＬが付与された電子メールを作成するメール作成手段３５と、画像サーバ３の動作を制御するコントローラ３６とを備える。
【００３５】
画像処理手段３２は、カメラ付き携帯電話１から画像データＳ０が送信され、かつ場所情報Ｂ０に基づく画像処理場所が画像サーバ３である場合に、画像データＳ０に対して濃度補正処理、ホワイトバランス調整処理、階調補正処理、色補正処理、シャープネス処理等の画像処理を施して処理済み画像データＳ３を得る。なお、画像処理手段３２において行われる画像処理は、処理済み画像データＳ３をモニタに表示するのに適した画質にする画像処理である。
【００３６】
保管手段３３は、カメラ付き携帯電話１から処理済み画像データＳ１が送信された場合には処理済み画像データＳ１を保管する。また、未処理の画像データＳ０が送信された場合において、場所情報Ｂ０に基づく画像処理場所が画像サーバ３である場合には、画像処理手段３２において得られた処理済み画像データＳ３を保管する。さらに、未処理の画像データＳ０が送信された場合において、場所情報Ｂ０に基づく画像処理場所がカメラ付き携帯電話２またはラボ４である場合には、未処理の画像データＳ０を保管する。
【００３７】
ＵＲＬ生成手段３４は、画像データＳ０、処理済み画像データＳ１または処理済み画像データＳ３の保管場所を表すＵＲＬを生成する。
【００３８】
メール作成手段３５は、画像データＳ０または処理済み画像データＳ１とともに送信された送信先情報に基づいて、ＵＲＬ生成手段３４において生成されたＵＲＬが付与された電子メールを作成する。なお、作成された電子メールは、通信手段３１により送信先情報に基づく送信先に携帯電話通信網５を介して送信される。
【００３９】
ラボ４は、画像データＳ０等種々の情報の送受信を行う通信手段４１と、画像データＳ０に対して画像処理を施して処理済み画像データＳ４を得る画像処理手段４２と、処理済み画像データＳ４をプリント出力してプリントＰを作成するプリンタ４３と、プリントＰが作成された場合にその旨をカメラ付き携帯電話１に通知する通知手段４４と、ラボ４の動作を制御するコントローラ４５とを備える。
【００４０】
ラボ４は、画像サーバ３から送信された電子メールを受信すると、電子メールに付与されたＵＲＬを参照して、通信手段４１において画像サーバ３の保管手段３３から画像データＳ０をダウンロードする。なお、画像データＳ０のダウンロードと同時に、プリントＰの受け取り先を表す受け取り先情報もダウンロードする。
【００４１】
画像処理手段４２は、画像サーバ３の保管手段３３からダウンロードした画像データＳ０に対して、濃度補正処理、ホワイトバランス調整処理、階調補正処理、色補正処理、シャープネス処理等の画像処理を施して処理済み画像データＳ４を得る。ここで、ラボ４に電子メールが送信された場合には、ラボ４において画像データＳ０に画像処理を施すことは明らかであるが、場所情報Ｂ０を参照して画像処理場所がラボ４であることを確認することが好ましい。なお、画像処理手段４２において行われる画像処理は、処理済み画像データＳ４をプリント出力するのに適した画質にする画像処理である。
【００４２】
通知手段４４は、処理済み画像データＳ４のプリント出力が完了すると、受け取り先情報に基づく受け取り先に、プリント出力が完了した旨の通知を行う。通知は電子メールであっても電話の自動音声によるものであってもよい。なお、ラボ４のオペレータが受け取り先に電話をかけたり、マニュアル操作により電子メールを送信することによって、通知を行ってもよい。
【００４３】
なお、画像サーバ３からカメラ付き携帯電話２に電子メールが送信された場合には、カメラ付き携帯電話２のユーザは、ＵＲＬを参照して画像サーバ３の保管手段３３にアクセスして画像データＳ０または処理済み画像データＳ１をダウンロードする。なお、処理済み画像データＳ１をダウンロードした場合には、処理済み画像データＳ１がそのまま液晶モニタ２４に表示される。一方、画像データＳ０をダウンロードした場合には、画像処理手段２３において画像データＳ０に対して画像処理が施されて処理済み画像データＳ２が得られ、これが液晶モニタ２４に表示される。
【００４４】
なお、カメラ付き携帯電話２に未処理の画像データＳ０の保管場所を表すＵＲＬが付与された電子メールが送信された場合には、カメラ付き携帯電話２において画像データＳ０に画像処理を施すことは明らかであるが、場所情報Ｂ０を参照して画像処理場所がカメラ付き携帯電話２であることを確認することが好ましい。
【００４５】
ここで、画像処理手段において行われる処理について説明する。図３はラボ４の画像処理手段４２において行われる処理を示す概略ブロック図である。図３に示すように、画像処理手段４２においては、画像データＳ０はＪＰＥＧ形式等により圧縮されていることから、まず画像データＳ０が解凍され、次いで、画像データＳ０が縮小される。そして、縮小された画像データＳ０および画像データＳ０のタグ情報に付与された撮影時の撮影条件等に基づいて、画像データＳ０に対して画像処理を施す際の画像処理条件Ｊが算出される。
【００４６】
そして、算出された画像処理条件Ｊに基づいて、濃度補正処理、ホワイトバランス調整処理、階調補正処理、色補正処理、およびシャープネス処理が行われて処理済み画像データＳ４が得られる。なお、画像処理条件Ｊに基づく処理ではないが、シャープネス処理の前に画像データＳ０により表される画像のサイズを出力サイズ（プリントサイズ、モニタサイズ等）に合わせるための拡大処理が行われる。ここで、拡大処理には１未満の倍率の拡大処理も含まれる。
【００４７】
ここで、濃度補正処理およびホワイトバランス調整処理は、撮影時の露出エラーおよびホワイトバランスエラーを補正し、階調補正処理は、撮影時のシーンとプリントとのコントラストの相違を吸収し、色補正処理は、ＲＧＢ各色の色相、彩度、明度を補正し、シャープネス処理は画像の鮮鋭度を補正する。また、プリント出力処理は、シャープネス処理済みの画像データを変換して、処理済み画像データＳ４をプリンタ４３のデバイス信号とする処理である。
【００４８】
なお、カメラ付き携帯電話１，２の画像処理手段１３，２３および画像サーバ３の画像処理手段３２においても同様に画像処理が行われるが、送信容量の制限や表示媒体の表示色の制限があることから、図３においてシャープネス処理後の破線に示すように、容量を低減するための圧縮処理や色数を低減するための減色処理が行われて処理済み画像データＳ１，Ｓ２または処理済み画像データＳ３が得られる。ここで、カメラ付き携帯電話１，２の液晶モニタ１４，２４の色再現域は、パソコン等のモニタの色再現域よりも狭いため、狭い色再現域を有効に活用するように減色処理が行われる。
【００４９】
また、カメラ付き携帯電話１，２の画像処理手段１３，２３においては、画像サーバ３の画像処理手段３２またはラボ４の画像処理手段４２と比較して簡易な演算により画像データＳ０に対して画像処理が施される。さらに、色補正処理およびシャープネス処理が省略される場合もある。
【００５０】
次いで、本実施形態の動作について説明する。図４はカメラ付き携帯電話１において行われる処理を示すフローチャートである。まず、カメラ１１により撮影が行われて画像データＳ０が取得される（ステップＳ１）。一方、入力手段１７において、カメラ付き携帯電話１のユーザによる画像データＳ０の用途および／または画質の入力が受け付けられ（ステップＳ２）、入力された用途および／または画質に基づいて、画像処理場所決定手段１６において画像データＳ０に画像処理を施す画像処理場所が決定されて場所情報Ｂ０が生成される（ステップＳ３）。
【００５１】
そして、コントローラ１５により、場所情報Ｂ０が参照されて画像処理場所がカメラ付き携帯電話１であるか否かが判定される（ステップＳ４）。ステップＳ４が肯定された場合には、画像処理手段１３において画像データＳ０に対して画像処理が施されて処理済み画像データＳ１が得られ（ステップＳ５）、ステップＳ６に進む。ステップＳ４が否定された場合にもステップＳ６に進む。
【００５２】
ステップＳ６においては、ユーザによる送信指示がなされたか否かの監視が開始され、ステップＳ６が肯定されると、画像データＳ０または処理済み画像データＳ１が場所情報Ｂ０、送信先情報およびプリント出力を依頼する場合にはプリントＰの受け取り先情報とともに画像サーバ３に送信され（ステップＳ７）、処理を終了する。
【００５３】
図５は画像サーバ３において行われる処理を示すフローチャートである。まず、カメラ付き携帯電話１から送信された画像データＳ０または処理済み画像データＳ１が受信され（ステップＳ１１）、画像データＳ０または処理済み画像データＳ１に付与された場所情報Ｂ０に基づいて、画像データＳ０に対する画像処理場所が判定される（ステップＳ１２）。
【００５４】
画像処理場所がカメラ付き携帯電話１であると判定された場合には、処理済み画像データＳ１が送信されていることから、処理済み画像データＳ１を保管手段３３に保管する（ステップＳ１３）。画像処理場所が、カメラ付き携帯電話２またはラボ４であると判定された場合には、未処理の画像データＳ０を保管手段３３に保管する（ステップＳ１４）。画像処理場所が画像サーバ３であると判定された場合には、画像処理手段３２において画像データＳ０に対して画像処理が施されて処理済み画像データＳ３が得られ（ステップＳ１５）、処理済み画像データＳ３が保管手段３３に保管される（ステップＳ１６）。
【００５５】
画像データＳ０または処理済み画像データＳ１，Ｓ３が保管されると、ＵＲＬ生成手段３４において、画像データＳ０または処理済み画像データＳ１，Ｓ３の保管場所を表すＵＲＬが生成される（ステップＳ１７）。そして、メール作成手段３５においてＵＲＬが付与された電子メールが作成され（ステップＳ１８）、画像データＳ０または処理済み画像データＳ１とともに送信された送信先情報に応じた送信先に電子メールが送信され（ステップＳ１９）、処理を終了する。
【００５６】
なお、電子メールの送信先がカメラ付き携帯電話２である場合には、電子メールに付与されたＵＲＬが画像データＳ０のものであるか、処理済み画像データＳ１のものであるかが電子メールに記述される。
【００５７】
図６はラボ４において行われる処理を示すフローチャートである。まず、画像サーバ３から送信された電子メールが受信される（ステップＳ２１）。次いで、通信手段４１が電子メールに付与されたＵＲＬにアクセスして（ステップＳ２２）、画像データＳ０がダウンロードされる（ステップＳ２３）。そして、画像処理手段４２において画像データＳ０に対して画像処理が施されて処理済み画像データＳ４が得られる（ステップＳ２４）。処理済み画像データＳ４はプリンタ４３においてプリント出力されてプリントＰが得られる（ステップＳ２５）。プリント出力が完了すると、通知手段４４によりプリントＰの受け取り先にプリント出力が完了した旨の通知がなされ（ステップＳ２６）、処理を終了する。
【００５８】
なお、プリントＰは、通知を受けた受け取り先（例えばカメラ付き携帯電話１）のユーザがラボ４に出向いて受け取るか、ラボ４からユーザに配送される。
【００５９】
図７はカメラ付き携帯電話２において行われる処理を示すフローチャートである。まず、画像サーバ３から送信された電子メールが受信される（ステップＳ３１）。次いで、通信手段４１が電子メールに付与されたＵＲＬにアクセスして（ステップＳ３２）、画像データＳ０または処理済み画像データＳ１がダウンロードされる（ステップＳ３３）。
【００６０】
そして、電子メールの記述に基づいて、ダウンロードされた画像データが未処理の画像データＳ０か否かが判定され（ステップＳ３４）、ステップＳ３４が肯定されると、未処理の画像データＳ０がダウンロードされたことから、画像処理手段２３において画像データＳ０に対して画像処理が施されて処理済み画像データＳ２が得られる（ステップＳ３５）。処理済み画像データＳ２は液晶モニタ２４に表示され（ステップＳ３６）、処理を終了する。
【００６１】
一方、ステップＳ３４が否定されると、処理済み画像データＳ１がダウンロードされたことから、処理済み画像データＳ１が液晶モニタ２４に表示され（ステップＳ３６）、処理を終了する。
【００６２】
図８はカメラ付き携帯電話２において行われる合成処理を示すフローチャートである。なお、ここでは処理済み画像データＳ２０が既に取得されており、処理済み画像データＳ２０とカメラ付き携帯電話１から送信された処理済み画像データＳ１とを合成して合成画像データＳＧ２を得るものとして説明する。
【００６３】
まず、入力手段２７による画像表示指示により、処理済み画像データＳ２０により表される処理済み画像Ｇ２が液晶モニタ２４に表示される（ステップＳ４１）。続いて、入力手段２７からのトリミング指示により、液晶モニタ２４にトリミング枠Ｔ０が表示される（ステップＳ４２）。続いて、入力手段２７からのトリミング領域指定の入力があったか否かの監視が開始され（ステップＳ４３）、ステップＳ４３が肯定されると、処理済み画像Ｇ２がトリミングされる（ステップＳ４４）。
【００６４】
続いて、入力手段２７による画像表示指示により、処理済み画像データＳ１により表される処理済み画像Ｇ１が液晶モニタ２４に表示される（ステップＳ４５）。続いて、入力手段２７からのトリミング指示により、液晶モニタ２４にトリミング枠Ｔ０が表示される（ステップＳ４６）。続いて、入力手段２７からのトリミング領域指定の入力があったか否かの監視が開始され（ステップＳ４７）、ステップＳ４７が肯定されると、処理済み画像Ｇ１がトリミングされる（ステップＳ４８）。
【００６５】
そして、入力手段２７において合成指示の入力があったか否かの監視が開始され（ステップＳ４９）、ステップＳ４９が肯定されると、トリミングされた処理済み画像ＧＴ２と、トリミングされた処理済み画像ＧＴ１とが合成される（ステップＳ５０）。そして、合成により得られた合成画像データＳＧ２により表される合成画像Ｇ０が液晶モニタ２４に表示され（ステップＳ５１）、処理を終了する。
【００６６】
このように、本実施形態においては、カメラ付き携帯電話２において取得された処理済み画像データＳ２０と、カメラ付き携帯電話１から送信された処理済み画像データＳ１とを合成して合成画像データＳＧ２を得、これを液晶モニタ２４に表示するようにしたため、カメラ付き携帯電話２を用いた撮影場所にいない人物を含む合成画像Ｇ０を得て、これを液晶モニタ２４に表示することができる。
【００６７】
また、カメラ付き携帯電話２においては液晶モニタ２４のサイズがそれほど大きくないため、処理済み画像Ｇ１，Ｇ２をそれぞれトリミングして合成することにより、液晶モニタ２４のサイズに適合した合成画像Ｇ０を液晶モニタ２４に表示することができる。
【００６８】
なお、上記実施形態においては、合成により得られた合成画像データＳＧ２を画像サーバ３経由でラボ４に送信し、ラボ４において合成画像データＳＧ２をプリント出力してもよい。
【００６９】
また、上記実施形態においては、処理済み画像データＳ２０および処理済み画像データＳ２を合成しているが、カメラ付き携帯電話２において取得した未処理の画像データと、カメラ付き携帯電話１から送信された（すなわち画像サーバ３からダウンロードした）未処理の画像データＳ０とを合成し、合成後に画像処理を施すようにしてもよい。
【００７０】
また、上記実施形態においては、ユーザによる入力手段２７からの指示により、処理済み画像Ｇ１，Ｇ２をトリミングしているが、例えば処理済み画像Ｇ１，Ｇ２において人物の顔領域を抽出し、抽出した顔領域を含むようにトリミングを自動で行うようにしてもよい。
【００７１】
また、上記実施形態においては、トリミングされた処理済み画像Ｇ１，Ｇ２を並べた合成画像Ｇ０を作成しているが、図９に示すように、処理済み画像Ｇ１，Ｇ２から顔領域のみを抽出し、抽出した顔領域を好みの背景画像と合成して合成画像Ｇ０を作成してもよい。
【００７２】
また、図１０に示すように抽出した顔領域同士を重ね合わせて合成画像Ｇ０を作成してもよい。
【００７３】
さらに、２つの処理済み画像Ｇ１，Ｇ２のみならず、さらに多くの処理済み画像を合成して合成画像Ｇ０を得るようにしてもよい。
【図面の簡単な説明】
【図１】本発明の実施形態による携帯端末装置を備えた画像処理システムの構成を示す概略ブロック図
【図２】画像の合成を説明するための図
【図３】画像処理手段において行われる処理を示す概略ブロック図
【図４】カメラ付き携帯電話１において行われる処理を示すフローチャート
【図５】画像サーバにおいて行われる処理を示すフローチャート
【図６】ラボにおいて行われる処理を示すフローチャート
【図７】カメラ付き携帯電話２において行われる処理を示すフローチャート
【図８】カメラ付き携帯電話２において行われる合成処理を示すフローチャート
【図９】合成の他の態様を示す図
【図１０】合成のさらに他の態様を示す図
【符号の説明】
１，２　　カメラ付き携帯電話
３　　画像サーバ
４　　ラボ
５　　携帯電話通信網
１１，２１　　カメラ
１２，２２，３１，４１　　通信手段
１３，２３，３２，４２　　画像処理手段
１４，２４　　液晶モニタ
１５，２５，３６，４５　　コントローラ
１６，２６　　画像処理場所決定手段
１７，２７　　入力手段
１８，２８　　合成手段
３３　　保管手段
３４　　ＵＲＬ生成手段
３５　　メール作成手段
４３　　プリンタ
４４　　通知手段
【図１】
2004032372.tif 000003
【図２】
2004032372.tif 000004
【図３】
2004032372.tif 000005
【図４】
2004032372.tif 000006
【図５】
2004032372.tif 000007
【図６】
2004032372.tif 000008
【図７】
2004032372.tif 000009
【図８】
2004032372.tif 000010
【図９】
2004032372.tif 000011
【図１０】
2004032372.tif 000012